(57)【要約】【課題】興趣性の高い昇降動作を実現する。【解決手段】時刻表示装置１は、孔部４３を有する文字板４と、孔部４３の下側に設けられたアンテナ５と、中心軸Ａｘ回りに回動可能に構成された回転カムリング６１と、アンテナ５を支持しつつ回転カムリング６１に連結され、当該アンテナ５を上下方向に昇降させるリンク部６４と、文字板４の孔部４３を覆う位置に設けられ、回転カムリング６１に固定される蓋部材６５とを備える。回転カムリング６１の中心軸Ａｘ回りの一方向への動作に伴って、蓋部材６５が孔部４３の下側から退避して当該孔部４３が開放された後にリンク部６４が動作してアンテナ５を上方に上昇させる。【選択図】図７
2017173226.tif 000002
【特許請求の範囲】
【請求項１】
孔部を有するカバー部材と、
前記孔部の裏面側に設けられた出没部材と、
所定方向に沿って動作可能に構成された可動部材と、
前記出没部材を支持しつつ前記可動部材に連結され、当該出没部材を表裏方向に昇降させるリンク部と、
前記カバー部材の前記孔部を覆う位置に設けられ、前記可動部材に固定される蓋部材と、
を備え、
前記可動部材の前記所定方向のうちの一方向への動作に伴って、前記蓋部材が前記孔部の裏面側から退避して当該孔部が開放された後に前記リンク部が動作して前記出没部材を表面方向に上昇させることを特徴とする昇降装置。
【請求項２】
前記可動部材は、環状に形成されるとともに、前記カバー部材の外周周辺に回動可能に支持され、
前記リンク部は、前記表裏方向に移動するピン部材を有し、
前記可動部材の前記所定方向のうちの一方向への動作に伴って、前記蓋部材が前記孔部の裏面側から退避するまで前記ピン部材の前記表裏方向の位置が保持された後に、当該ピン部材が前記表裏方向に移動することを特徴とする請求項１に記載の昇降装置。
【請求項３】
前記ピン部材の前記表裏方向に沿った移動を案内するガイド部を備えることを特徴とする請求項２に記載の昇降装置。
【請求項４】
請求項１〜３のいずれか一項に記載の昇降装置を備え、
前記出没部材が、電波を受信するアンテナであることを特徴とする電波受信装置。
【請求項５】
前記アンテナは、前記表裏方向の表方向に接地電極が形成されたアンテナ基板に搭載され、
請求項４に記載の電波受信装置は、前記アンテナが上昇したときに前記アンテナ基板の前記接地電極と電気的に接続される接地電極を前記表裏方向の裏方向に有する基板を備えることを特徴とする。
【請求項６】
前記アンテナ基板は、前記アンテナの放射電極と電気的に接続された給電部を有し、
前記基板は、前記アンテナが上昇したときに前記アンテナ基板の前記給電部と電気的に接続される給電部を有することを特徴とする請求項５に記載の電波受信装置。
【請求項７】
前記基板には、当該基板に実装された受信機側のインピーダンスと前記アンテナ側のインピーダンスとの整合を取るための回路素子が搭載され、
前記回路素子は、その定数が、前記アンテナが上昇した状態において前記上昇する前の状態に比べて利得が向上する値に設定されていることを特徴とする請求項５または６に記載の電波受信装置。
【請求項８】
前記アンテナが降下したときに当該アンテナと当接する他の基板を備え、
前記他の基板は、前記アンテナが降下したときに前記アンテナ基板の前記接地電極及び前記給電部と個別に電気的に接続される接地電極及び給電部を有することを特徴とする請求項５〜７のいずれか一項に記載の電波受信装置。
【請求項９】
前記アンテナの上方を除く周囲が金属製の部材に覆われていることを特徴とする請求項４〜８のいずれか一項に記載の電波受信装置。
【請求項１０】
時刻を計時する計時部と、
請求項１〜３のいずれか一項に記載の昇降装置と、
前記昇降装置の前記カバー部材の上方で前記計時部が計時した前記時刻を表示する時刻表示部と、
を備えることを特徴とする時刻表示装置。
【請求項１１】
時刻を計時する計時部と、
時刻情報が含まれる電波を受信する請求項４〜９のいずれか一項に記載の電波受信装置と、
前記計時部が計時した前記時刻を、前記電波受信装置が受信した前記電波に含まれる前記時刻情報により修正する時刻修正部と、
前記計時部が計時する時刻、又は、前記時刻修正部が修正した時刻を表示する時刻表示部と、
を備えることを特徴とする時刻表示装置。
【発明の詳細な説明】
【技術分野】
【０００１】
本発明は、昇降装置、電波受信装置及び時刻表示装置に関する。
【背景技術】
【０００２】
例えば腕時計などの時刻表示装置においては、アナログ時計では各種指針が動作し、デジタル時計ではデジタル表示部の数字や文字が変化することで、時刻等が表示される。そのため、物理的に動く部分がアナログ時計の場合の指針以外には基本的に存在せず、コンパクトに構成しやすい反面、面白味に欠けるといった側面がある。
【０００３】
そこで、例えば文字板内で表裏方向に昇降するような動作部分が設けられていれば、いわば時刻表示装置の表情が変化することとなり、興趣を高めることができる。また、この動作部分は、常時露出した状態では動作時の意外性に欠けるうえに、当該動作部分と他の部分との見栄えの違いによりデザイン性も損なわれるため、動作時以外では露出していないことが好ましい。
【０００４】
ところで、時刻表示装置には、標準電波やＧＰＳ電波等を受信するためのアンテナが設けられる場合がある。このようなアンテナは、金属製ケースなどの金属部材が近くに配置されていると、アンテナ特性（受信性能）が低下してしまう（例えば、特許文献１参照）。
そこで、例えばアンテナを上述の動作部分として、受信時だけ上昇動作させて文字板から露出させることなどができれば、興趣を高めると同時に当該アンテナの受信性能も向上させることができる。
【先行技術文献】
【特許文献】
【０００５】
【特許文献１】特許第５７１８４４０号公報
【発明の概要】
【発明が解決しようとする課題】
【０００６】
本発明は、以上のような事情に鑑みてなされたものであり、興趣性の高い昇降動作を実現することを目的とする。
【課題を解決するための手段】
【０００７】
上記目的を達成するために、本発明に係る昇降装置は、
孔部を有するカバー部材と、
前記孔部の裏面側に設けられた出没部材と、
所定方向に沿って動作可能に構成された可動部材と、
前記出没部材を支持しつつ前記可動部材に連結され、当該出没部材を表裏方向に昇降させるリンク部と、
前記カバー部材の前記孔部を覆う位置に設けられ、前記可動部材に固定される蓋部材と、
を備え、
前記可動部材の前記所定方向のうちの一方向への動作に伴って、前記蓋部材が前記孔部の裏面側から退避して当該孔部が開放された後に前記リンク部が動作して前記出没部材を表面方向に上昇させることを特徴とする。
【発明の効果】
【０００８】
本発明によれば、興趣性の高い昇降動作を実現することができる。
【図面の簡単な説明】
【０００９】
【図１】実施形態における時刻表示装置の正面図である。
【図２】（ａ）実施形態における昇降ユニットの平面図であり、（ｂ）（ａ）を３時方向側から見た側面図である。
【図３】実施形態におけるカム溝を説明するための図である。
【図４】実施形態におけるリンク部を説明するための図である。
【図５】実施形態における時刻表示装置の動作を説明するための図である。
【図６】実施形態における時刻表示装置の動作を説明するための図である。
【図７】実施形態における時刻表示装置の動作を説明するための図である。
【図８】実施形態の第一の変形例におけるアンテナの断面図である。
【図９】実施形態の第一の変形例におけるアンテナと下側基板及び上側基板との電気的な接続を説明するための図である。
【図１０】（ａ）実施形態の第一の変形例におけるアンテナと上側基板との電気的な接続を説明するためのブロック図であり、（ｂ）実施形態の第二の変形例における同様のブロック図である。
【図１１】実施形態の第一の変形例におけるアンテナと下側基板及び上側基板との電気的な接続の変形例を説明するための側断面図である。
【発明を実施するための形態】
【００１０】
以下、図面を参照しつつ、本発明に係る昇降装置、並びにこれを備える電波受信装置及び時刻表示装置について説明する。
なお、以下に述べる実施形態には、本発明を実施するために技術的に好ましい種々の限定が付されているが、本発明の範囲を以下の実施形態及び図示例に限定するものではない。
【００１１】
［構成］
まず、本実施形態における時刻表示装置１の構成について説明する。
図１は、時刻表示装置１の正面図であり、図２（ａ）は、時刻表示装置１が備える後述の昇降ユニット６の平面図であり、図２（ｂ）は、（ａ）を３時方向側から見た側面図である。また、図３（ａ）〜（ｃ）は、後述のカム溝６４２を説明するための図であって、図２の矢印Ｃ〜Ｅの方向から当該カム溝６４２を見た矢視図であり、図４（ａ）〜（ｃ）は、後述のリンク部６４を説明するための図である。
なお、以下では、特に断りのない限り、時刻表示装置１から見て正面方向（表面方向）を「上」、裏面方向を「下」と記載して、各部の位置や向きを説明することとする。
【００１２】
図１に示すように、本実施形態における時刻表示装置１は、手首に装着されるアナログの腕時計であり、各種部品を内部に収容する金属製の本体ケース２を備えている。この本体ケース２は、上下両端が開口した平面視略円形の短筒状に形成されており、その開口上端がガラス部材３で閉塞され、開口下端が図示しない金属製の裏蓋部材で閉塞されている。
これら本体ケース２，ガラス部材３及び裏蓋部材で画成された収容室の内部には、文字板４と、アンテナ５と、昇降ユニット６と、時刻を計時する計時部（図示せず）と、計時部が計時した時刻を表示する時刻表示部（図示せず）等とが収容されている（図２等参照）。
【００１３】
文字板４は、略円板状に形成され、ガラス部材３を介して上方に露出しており、その正面側の周縁部には、指針４１（時針、分針及び秒針）によって示される時刻の目安となる時字部材４２が配置されている。
また、文字板４には、アンテナ５を上方に露出させるための孔部４３が上下に貫通している。この孔部４３は、アンテナ５の形状に対応した形状であって当該アンテナ５よりも一回り大きい正面視略四角形状に形成され、文字板４のうち正面視中央よりも６時方向側（図１の下側）の部分に設けられている。なお、この孔部４３は、アンテナ５を露出させていない常態では、後述の蓋部材６５に閉塞されている。
【００１４】
アンテナ５は、本実施形態においては、ＧＰＳ（Global Positioning System）電波（すなわち、ＧＰＳ衛星から送信される時刻情報等を含む電波）を受信可能なチップアンテナ（誘電体アンテナ）である。このアンテナ５は、図２（ａ），（ｂ）に示すように、常態で文字板４の孔部４３の下側に配置されて、後述する昇降ユニット６のアンテナ台５１に下面を支持されており、当該昇降ユニット６により上下に昇降するようになっている。また、アンテナ５は、昇降時の移動量に対応した遊び（弛み）を有するケーブルを介し、図示しない基板と給電部及びグランド（接地部）で個別に電気的に接続されている。
なお、アンテナ５は、ＧＰＳ電波を受信するものに限定されず、時刻情報を含む標準電波や、Bluetooth（登録商標）、Wi-Fiその他の通信用電波を受信するものなどであってもよい。
【００１５】
昇降ユニット６は、アンテナ５を上下（表裏方向）に昇降させるためのものであり、回転カムリング６１と、駆動モータ６２と、２つのエンドセンサ６３と、リンク部６４等とが、正面視略短円筒状の支持部材６０に支持されて構成されている。
【００１６】
回転カムリング６１は、支持部材６０よりも一回り大きい円環状に形成され、上下方向に沿った中心軸Ａｘを支持部材６０のものと一致させた状態で、支持部材６０よりも上側に配置されている。より詳しくは、回転カムリング６１は、支持部材６０上面の周縁部に周上３等配で配置された３つのガイドローラ６１１によって、中心軸Ａｘ回りに回動可能に支持されている。回転カムリング６１の内周面には、駆動モータ６２からの駆動力が伝達される図示しないギアが、所定の角度範囲に亘って形成されている。
【００１７】
回転カムリング６１の上面には、文字板４の孔部４３を閉塞させるための蓋部材６５が固定されている。
この蓋部材６５は、文字板４の孔部４３よりも一回り大きい正面視略四角形板状に形成され、当該文字板４とアンテナ５との間の上下方向位置に設けられている。蓋部材６５のうち、回転カムリング６１の上方に位置する端部は、下方に階段状に屈曲されており、この下側の段面部分が回転カムリング６１の上面にビス６５１で固定されている。そのため、蓋部材６５は、回転カムリング６１の回動に伴って、孔部４３の下側を覆って当該孔部４３を閉塞させた状態と、当該孔部４３を開放させた状態とを取り得るようになっている。また、蓋部材６５の表面は、文字板４の孔部４３を閉塞させたときに当該文字板４の一部として視認されるように、文字板４と同様の外観を有している。
【００１８】
また、回転カムリング６１には、後述するリンク部６４のカムピン６４２をガイドするためのカム溝６１２が、蓋部材６５の中心に対応する周方向位置から時計回りに約１３５°の角度範囲に亘って設けられている。
なお、以下の説明において、「時計回り」または「反時計回り」とは、特に断りのない限り、時刻表示装置１を正面から見たときの向きを意味するものとする。
【００１９】
具体的には、図３（ａ）〜（ｃ）に示すように、カム溝６１２は、回転カムリング６１に取り付けられたレール部材６１３及びテーパ部材６１４から構成されている。
このうち、レール部材６１３は、平面視で中心角略１３５°の円弧板状に形成され、回転カムリング６１の下方に取り付けられている。このレール部材６１３は、反時計回り側の一端部から約９０°の角度範囲までは平坦に形成され、ここから時計回り側の他端部までの約４５°の角度範囲では、当該他端部に向かうに連れて次第に下方に位置するように傾斜している。そして、レール部材６１３は、回転カムリング６１のうち蓋部材６５の中心に対応する周方向位置よりもやや反時計回り側の部分に、反時計回り側の一端部を位置させつつ、当該一端部から約９０°の角度範囲において、回転カムリング６１の下面との間にカムピン６４２の外径に対応した上下方向の隙間（すなわちカム溝６１２）を中心軸Ａｘと直交する面内で介在させるように、回転カムリング６１に固定されている。具体的には、レール部材６１３の反時計回り側の一端部がボス６１５ａを介してビス６１６ａで回転カムリング６１に下側から固定され、時計回り側の他端部がボス６１５ｂを介して２つのビス６１６ｂで回転カムリング６１に上下から固定されている。また、レール部材６１３のうち、一端部から時計回りに約９０°の位置である屈曲部は、当該レール部材６１３の外周側を支持する支持板６１７と、当該支持板６１７を回転カムリング６１の上面に固定するビス６１６ｃとによって支持されている。
一方、テーパ部材６１４は、平面視で中心角略４５°の円弧状に形成され、レール部材６１３のうち時計回り側の他端部から約４５°の傾斜部分に対応したテーパ状の下面を有している。このテーパ部材６１４は、下面とレール部材６１３の傾斜部分との間にカムピン６４２の外径に対応した隙間（すなわちカム溝６１２）を介在させるように、当該レール部材６１３の傾斜部分の上方に配置され、回転カムリング６１に固定されている。
【００２０】
このように、回転カムリング６１には、蓋部材６５の中心に対応する周方向位置から時計回りに約１３５°の角度範囲に亘り、カムピン６４２の外径に対応した上下幅（溝幅）を有するカム溝６１２が設けられている。そして、当該カム溝６１２は、反時計回り側の端部から時計回りに約９０°までの範囲では中心軸Ａｘと直交する面内で延在しており、そこからさらに時計回りに約４５°までの範囲では、当該時計回り方向に向かうに連れて次第に下方に位置するように傾斜している。これにより、後述するように、回転カムリング６１の回動に伴って、カム溝６１２にガイドされたカムピン６４２が上下動するようになっている。また、この回転カムリング６１の回動は、カムピン６４２がレール部材６１３両端のボス６１５ａ，６１５ｂと当接することにより、上述の約１３５°の角度範囲に規制される。
【００２１】
駆動モータ６２は、図２（ａ），（ｂ）に示すように、回転カムリング６１を回動させる駆動源であり、支持部材６０のうち３時方向側（図２（ａ）の右側）の部分に形成された切欠き６０ａ内に配置されている。この駆動モータ６２は、回転カムリング６１内周面の図示しないギアと噛合するピニオンギア６２１を有しており、当該ピニオンギア６２１を回転させることで回転カムリング６１を中心軸Ａｘ回りに回動させる。
【００２２】
２つのエンドセンサ６３は、回転カムリング６１の回動位置を検知するためのものであり、支持部材６０上面の外周部のうち、９時方向（図２（ａ）の左側）の位置と、この位置から時計回りに約４５°の位置とに設けられている。各エンドセンサ６３は、支持部材６０の上面に固定された台座６３１上に取り付けられており、回転カムリング６１の上方で周方向に延在するアーム部６３２を有している。
この２つのエンドセンサ６３のうち、支持部材６０上の９時方向の位置に設けられた第一エンドセンサ６３ａは、アーム部６３２が反時計回り方向に延在している。そして、第一エンドセンサ６３ａは、このアーム部６３２により、回転カムリング６１上面のうち蓋部材６５の中心から時計回りに約８０°の位置に設けられた第一当接ピン６３３ａの位置を検出する。より詳しくは、第一エンドセンサ６３ａは、アーム部６３２の先端に第一当接ピン６３３ａが時計回り方向に当接することにより、回転カムリング６１がその回動範囲のうち時計回り方向の端の回動状態（図２（ａ）や図５（ａ）の状態）にあることを検知する。
一方、２つのエンドセンサ６３のうち、支持部材６０上において９時方向の位置から時計回りに約４５°の位置に設けられた第二エンドセンサ６３ｂは、アーム部６３２が時計回り方向に延在している。そして、第二エンドセンサ６３ｂは、このアーム部６３２により、回転カムリング６１上面のうち蓋部材６５の中心から反時計回りに約８０°の位置に設けられた第二当接ピン６３３ｂの位置を検出する。より詳しくは、第二エンドセンサ６３ｂは、アーム部６３２の先端に第二当接ピン６３３ｂが反時計回り方向に当接することにより、回転カムリング６１がその回動範囲のうち反時計回り方向の端の回動状態（図７（ａ）の状態）にあることを検知する。
【００２３】
リンク部６４は、回転カムリング６１の回動に伴ってアンテナ５を上下に昇降させるためのものであり、支持部材６０の６時方向側の部分に段付き状に切り欠かれた切欠き６０ｂ内に設けられている。
具体的には、図４（ａ）〜（ｃ）に示すように、リンク部６４は、リンクベース６４１と、カムピン６４２と、複数のリンクアーム６４３とを備えており、アンテナ５が固定されたアンテナ台５１を昇降させるように構成されている。
このうち、リンクベース６４１は、３時−９時方向に沿って長尺な略矩形板状に形成され、支持部材６０の切欠き６０ｂ内に固定されている。リンクベース６４１の長手方向の中央部には、上方と時刻表示装置１の外周方向とに突出した突出部６４１ａが設けられている。この突出部６４１ａは、０時−６時方向に沿うとともに中心軸Ａｘから放射状に形成されたガイド溝６４１ｂを有している。ガイド溝６４１ｂは、カムピン６４２を上下動させるための案内溝であり、カムピン６４２の外径に対応した幅を有するとともに、上方と時刻表示装置１の内外周両側とが開口している。
カムピン６４２は、リンク部６４を動作させるための円柱状の駆動軸であり、０時−６時方向に沿った水平状態で、リンクベース６４１のガイド溝６４１ｂ内に上下動可能に設けられている。また、カムピン６４２のうち、時刻表示装置１の外周側の先端部は、回転カムリング６１のカム溝６１２内に挿通されている。
【００２４】
複数のリンクアーム６４３は、駆動側の第一リンクアーム６４３ａと、従動側の第二リンクアーム６４３ｂとを基本構成とし、０時−６時方向に沿った線を介してその両側（図４の左右両側）で対称に対をなすとともに、リンクベース６４１を挟んでその両側（図４（ａ）の上下両側）でも対称に対をなしている。
第一リンクアーム６４３ａは、やや屈曲角度の大きい略Ｌ字状に屈曲している。この第一リンクアーム６４３ａは、６時方向側から見た側面視で上方に開口した状態で、一端部がカムピン６４２に回動可能に連結されるとともに、屈曲部が、リンクベース６４１のうち中心軸Ａｘから３時方向または９時方向にやや離間した側面部に、回動可能に連結されている。また、第一リンクアーム６４３ａの一端部では、当該一端部に形成された孔部６４３ｃにカムピン６４２が挿通されてこれらが連結されており、当該孔部６４３ｃは、第一リンクアーム６４３ａのうち当該一端部から屈曲部までの延在方向に沿った長孔となっている。また、時刻表示装置１の外周方向側に位置する２つの第一リンクアーム６４３ａは、リンクベース６４１の突出部６４１ａの形状に対応して、一端部の周辺が当該外周方向側へ段付き状に屈曲している。
第二リンクアーム６４３ｂは、第一リンクアーム６４３ａの屈曲部から他端部までと略同一の長さを有する長尺な平板状に形成され、一端部が第一リンクアーム６４３ａの他端部に回動可能に連結されている。また、第二リンクアーム６４３ｂの他端部は、アンテナ台５１の側面のうち、０時−６時方向線に対する当該第二リンクアーム６４３ｂと同じ側（３時方向側または９時方向側）の端部に回動可能に連結されている。
【００２５】
このような構成により、リンク部６４では、カムピン６４２がガイド溝６４１ｂ内の上部に位置しているときに、第一リンクアーム６４３ａ（屈曲部から他端部まで）と第二リンクアーム６４３ｂとが互いに屈曲した屈曲状態（図４（ｂ）の状態）となる。また、カムピン６４２がガイド溝６４１ｂ内の下部に位置したときには、第一リンクアーム６４３ａ（屈曲部から他端部まで）と第二リンクアーム６４３ｂとが上下に伸長した伸長状態（図４（ｃ）の状態）となる。そして、当該リンク部６４は、屈曲状態ではアンテナ５を蓋部材６５よりも下方まで降下させ、伸長状態ではアンテナ５を文字板４の孔部４３から上方へ露出させるようになっている。
【００２６】
［動作］
続いて、アンテナ５を昇降させる際の時刻表示装置１の動作について説明する。
図５〜図７は、この時刻表示装置１の動作を説明するための図である。
【００２７】
本実施形態の時刻表示装置１では、例えば時刻表示装置１が電波を受信する動作に移行しておらず、アンテナ５に比較的高い利得で電波を受信させようとしないときなどの状態において、当該アンテナ５は文字板４の下方に収容されている。
より詳しくは、図５（ａ）〜（ｃ）に示すように、このときには、回転カムリング６１がその回動範囲のうち時計回り方向の端の回動状態となっている。そのため、カムピン６４２はガイド溝６４１ｂ内の上部に位置しており、リンク部６４はアンテナ５を蓋部材６５よりも下側まで降下させている。そして、このアンテナ５と文字板４との間で、蓋部材６５が文字板４の孔部４３を閉塞させている。
このように、このときには文字板４の孔部４３からはアンテナ５は露出しておらず、当該孔部４３が蓋部材６５で覆われた孔部閉塞状態となっているため、時刻表示装置１のデザイン性が損なわれることがない。
【００２８】
この孔部閉塞状態から、駆動モータ６２を駆動させて回転カムリング６１を中心軸Ａｘ回りに反時計回りに約９０°回動させると、図６（ａ）〜（ｃ）に示すように、回転カムリング６１に固定された蓋部材６５は、当該回転カムリング６１とともに回動して孔部４３の下側から退避する。このとき、カムピン６４２を周方向にガイドするカム溝６１２は、ここまでの回動範囲では中心軸Ａｘと直交する面内に設けられているため、カムピン６４２の上下方向位置は変化しない。そのため、カムピン６４２はガイド溝６４１ｂ内の上部に位置したままであり、リンク部６４はアンテナ５を文字板４よりも下側まで降下させた状態のままとなっている。
このように、このときには、蓋部材６５の移動により文字板４の孔部４３が開放されるものの、アンテナ５が文字板４よりも下側に降下したままの孔部開放状態となる。
【００２９】
この孔部開放状態から、回転カムリング６１をさらに反時計回りに約４５°回動させると、図７（ａ）〜（ｃ）に示すように、カム溝６１２が時計回り方向に向かうに連れて次第に下方に位置するように傾斜していることにより、カムピン６４２は当該カム溝６１２に沿って下方に移動される。そのため、カムピン６４２がガイド溝６４１ｂ内の下部に移動する結果、リンク部６４がアンテナ５を上昇させて文字板４の孔部４３から上方へ露出させた状態となる。そして、第二エンドセンサ６３ｂのアーム部６３２に第二当接ピン６３３ｂが当接することにより、回転カムリング６１がその回動範囲のうち反時計回り方向の端の回動状態となったことが当該第二エンドセンサ６３ｂに検知され、駆動モータ６２が停止される。
このように、このときには、アンテナ５が上昇して文字板４の孔部４３から露出したアンテナ露出状態となる。これにより、アンテナ５が金属製の本体ケース２等から離間した状態となり、アンテナ５の受信性能（受信感度、利得等）が向上する。これにより、ＧＰＳ電波（アンテナ５を標準電波受信用とした場合には標準電波）を好適に受信することができ、受信したＧＰＳ電波（または標準電波）から取得される時刻情報により計時部が計時した時刻を修正することができるので、様々な受信環境で、より正確な時刻を表示部に表示させることができる。
また、アンテナ露出状態から孔部閉塞状態に復帰させるときには、回転カムリング６１を時計回りに回動させることにより、上述した上昇時とは反対の動作によって、アンテナ５が降下した後に文字板４の孔部４３が蓋部材６５で覆われる。
【００３０】
［効果］
以上のように、本実施形態によれば、回転カムリング６１の反時計回りの回動に伴って、蓋部材６５が文字板４の孔部４３の下側から退避して当該孔部４３が開放された後に、リンク部６４が動作してアンテナ５が上昇する。
これにより、回転カムリング６１を回動させるだけで、孔部４３が蓋部材６５で閉塞された孔部閉塞状態と、アンテナ５が孔部４３から露出したアンテナ露出状態とに、時刻表示装置１の状態を変化させることができる。
したがって、アンテナ５の昇降によって時刻表示装置１の表情を変化させることができ、興趣性の高い昇降動作を実現することができる。
【００３１】
また、アンテナ５が電波を受信するときに当該アンテナ５が上昇するので、アンテナ５を金属製の本体ケース２等から離間させて当該アンテナ５の受信性能を向上させることができる。
【００３２】
また、カムピン６４２の上下方向への移動がガイド溝６４１ｂによってガイドされるので、アンテナ５の昇降時におけるリンク部６４の動作の偏りを抑制し、ひいてはアンテナ５の傾きを抑制することができる。
【００３３】
なお、回転カムリング６１やリンク部６４の具体構成等は、本実施形態のものに特に限定されない。可動部材の一方向への動作に伴って、蓋部材６５が孔部４３の下側から退避して当該孔部４３が開放された後に、リンク部が動作してアンテナ５を上昇させるように構成されていればよい。
【００３４】
［第一の変形例］
続いて、上記実施形態の第一の変形例について説明する。なお、上記実施形態と同様の構成要素には同一の符号を付し、その説明を省略する。
図８（ａ）は、第一の変形例におけるアンテナ５Ａの断面図であり、図８（ｂ）は、その変形例である。図９は、アンテナ５Ａと後述の下側基板７１Ａ及び上側基板７２Ａとの電気的な接続を説明するための図であって、（ａ）が側断面図であり、（ｂ）が平面図である。また、図１０（ａ）は、アンテナ５Ａと後述の上側基板７２Ａとの電気的な接続を説明するためのブロック図であり、図１１は、アンテナ５Ａと後述の下側基板７１Ａ及び上側基板７２Ａとの電気的な接続の変形例を説明するための側断面図である。
【００３５】
本第一の変形例は、アンテナ５Ａが基板を備えるとともに、当該アンテナ５Ａの降下時と上昇時とで当該基板と電気的に接続される下側基板及び上側基板が設けられている点で、上記実施形態と異なっている。
【００３６】
具体的に、本第一の変形例におけるアンテナ５Ａは、図８（ａ）に示すように、例えば高誘電率のエラストマー組成物等からなるアンテナ本体５２Ａと、当該アンテナ本体５２Ａを支持するアンテナ基板５３Ａとから構成されている。
このうち、アンテナ本体５２Ａは、矩形板状に形成され、上面に放射（給電）電極５２１Ａを有している。この放射電極５２１Ａは、アンテナ本体５２Ａ及びアンテナ基板５３Ａを上下に貫通したピン５２２Ａを介し、アンテナ基板５３Ａの下面に形成された給電部５３１Ａと電気的に接続されている。給電部５３１Ａは、アンテナ基板５３Ａの少なくとも１つの端部まで延在するとともに、当該端部において側面を周ってアンテナ基板５３Ａの上面周縁部にまで設けられている（図９（ｂ）参照）。
アンテナ基板５３Ａは、アンテナ本体５２Ａや文字板４の孔部４３よりも一回り大きい略平板状に形成され、平面視で周縁部が全周に亘ってアンテナ本体５２Ａから側方に突出した状態で当該アンテナ本体５２Ａを上面で支持している。このアンテナ基板５３Ａには、ピン５２２Ａの貫通孔周辺を除く上面の全面と、側面と、下面の周縁部とに亘って、グランド層（接地電極）５３２Ａが形成されている。
また、放射電極５２１Ａ、給電部５３１Ａ及びグランド層５３２Ａは、例えば銀ペーストを印刷したものでもよいし、金属板の貼り付けやインサート成形、或いは金属膜のめっきや蒸着などによるものであってもよい。後述する他のグランド層や給電線も同様である。
なお、アンテナ５Ａは、その他の点については上記実施形態におけるアンテナ５と同様に構成されており、例えばリンク部６４（図示省略）によって昇降されるようになっている。リンク部６４によるアンテナ５Ａの支持形態としては、例えばアンテナ基板５３Ａがアンテナ台５１上に固定されていてもよいし、アンテナ台５１に代えてアンテナ基板５３Ａが第二リンクアーム６４３ｂに連結されていても（アンテナ台５１は無くても）よい。
【００３７】
なお、アンテナ５Ａは、上述したピン貫通タイプでなく、図８（ｂ）に示すような表面実装タイプのものであってもよい。具体的には、給電部５３１Ａがアンテナ基板５３Ａの下面でなく上面に形成され、ピン５２２Ａがアンテナ本体５２Ａのみを貫通して当該給電部５３１Ａと電気的に接続されていてもよい。
【００３８】
また、本第一の変形例では、図９（ａ），（ｂ）に示すように、下側基板７１Ａと上側基板７２Ａの２つの基板が設けられている。
このうち、下側基板７１Ａは、アンテナ５Ａからの電波（信号）を受信するためのものを除く各種電子部品が実装されたプリント基板であり、アンテナ５Ａが降下した状態でアンテナ基板５３Ａの下面が当該下側基板７１Ａの上面と接するように設けられている。この下側基板７１Ａの上面にはグランド層７１１Ａが形成されており、アンテナ５Ａが降下した状態で、アンテナ基板５３Ａ下面のグランド層５３２Ａと当該下側基板７１Ａのグランド層７１１Ａとが当接して電気的に接続されるようになっている。
【００３９】
一方、上側基板７２Ａは、アンテナ５Ａからの電波（信号）を受信するための後述の回路等が実装されたプリント基板であり、文字板４の直ぐ下側に配置されている。この上側基板７２Ａには、文字板４の孔部４３と略同一の大きさの孔部７２１Ａが、当該文字板４の孔部４３と対応した位置に形成されている。
また、上側基板７２Ａの下面には、グランド層７２２Ａと給電線７２３Ａとが、少なくとも孔部７２１Ａの周縁部にまで亘って形成されている。そして、アンテナ５Ａが上昇して、アンテナ本体５２Ａが文字板４の孔部４３と上側基板７２Ａの孔部７２１Ａから上方に露出したときに、アンテナ基板５３Ａ上面の周縁部が、上側基板７２Ａ下面の孔部７２１Ａの周縁部と当接する。これにより、アンテナ基板５３Ａ上面のグランド層５３２Ａ及び給電部５３１Ａと、当該上側基板７２Ａのグランド層７２２Ａと給電線７２３Ａとが個別に当接して電気的に接続されるようになっている。
【００４０】
また、上側基板７２Ａには、図１０（ａ）に示すように、アンテナ５Ａからの電波（信号）を好適に受信するためのマッチング回路７２４Ａ及び受信機７２５Ａが実装されている。
マッチング回路７２４Ａは、アンテナ５Ａ側のインピーダンスと上側基板７２Ａの受信機７２５Ａ側のインピーダンスとの整合を取るための回路である。このマッチング回路７２４Ａでは、当該マッチング回路７２４Ａを構成する各回路素子の定数が、アンテナ５Ａが上昇した状態において受信により好適な値に設定されている。また、マッチング回路７２４Ａとアンテナ５Ａ（アンテナ基板５３Ａ）との接点ＳＷは、上側基板７２Ａとアンテナ基板５３Ａとの接触部において、直接当接して電気的に接続されるようになっている。
【００４１】
以上の第一の変形例によれば、アンテナ５Ａが上昇したときに当該アンテナ５Ａ（アンテナ基板５３Ａ）と当接する上側基板７２Ａに、アンテナ基板５３Ａのグランド層５３２Ａと電気的に接続されるグランド層７２２Ａが設けられている。
したがって、上昇時（すなわち電波受信時）におけるアンテナ５Ａの利得等の特性を担保できるだけの十分な大きさのグランドを、上側基板７２Ａ上に確保することができる。
【００４２】
また、アンテナ５Ａが上昇したときに、アンテナ基板５３Ａの給電部５３１Ａと上側基板７２Ａの給電線７２３Ａとが電気的に接続されるので、アンテナ５Ａの昇降に追従可能な弛ませたケーブルを接続してアンテナ５Ａに給電する必要がない。
したがって、アンテナ５Ａの昇降に伴って屈曲・伸長が繰り返されるケーブルを設ける必要が無く、信頼性を向上させることができる。
【００４３】
また、上側基板７２Ａに実装されたマッチング回路７２４Ａでは、アンテナ５Ａが上昇した状態におけるアンテナ５Ａの利得等の特性が、アンテナ５Ａが上昇する前の状態におけるアンテナ５Ａの利得等の特性に比べて向上する等、受信に適した特性になるように、各回路素子の定数が設定されている。そのため、アンテナ５Ａを上昇させた状態で、好適に電波を受信することができる。
【００４４】
なお、アンテナ基板５３Ａと、上側基板７２Ａまたは下側基板７１Ａとは、互いの側面で当接して電気的に接続されるように構成されていてもよい。
この場合には、例えば図１１に示すように、上側基板７２Ａの孔部７２１Ａの内側面までグランド層７２２Ａと給電線７２３Ａを形成しておく。また、下側基板７１Ａに、上側基板７２Ａの孔部７２１Ａと同様の孔部７１２Ａを形成し、当該孔部７１２Ａの内側面までグランド層７１１Ａを形成しておく。さらに、上下方向に延在するガイドレール８Ａによって、アンテナ５Ａ（アンテナ基板５３Ａ）が上側基板７２Ａの孔部７２１Ａと下側基板７１Ａの孔部７１２Ａとに、上下方向に沿ってガイドされるように構成する。
これにより、アンテナ５Ａが降下した状態では、アンテナ基板５３Ａ側面のグランド層５３２Ａと、下側基板７１Ａの孔部７１２Ａ内側面のグランド層７１１Ａとが当接して電気的に接続される。また、アンテナ５Ａが上昇した状態では、アンテナ基板５３Ａ側面のグランド層５３２Ａ及び給電部５３１Ａと、上側基板７２Ａの孔部７２１Ａ内側面のグランド層７２２Ａ及び給電線７２３Ａとが、個別に当接して電気的に接続される。なお、アンテナ基板５３Ａの側面や、上側基板７２Ａの孔部７２１Ａの内側面、下側基板７１Ａの孔部７１２Ａの内側面は、互いに当接しやすいようにテーパ状に形成されていてもよい。
【００４５】
また、アンテナ基板５３Ａと上側基板７２Ａ（または下側基板７１Ａ）との間では、グランド層や給電部が互いに当接して電気的に接続されることとしたが、これらは互いに電気的に接続されていれば、当接していなくともよい。例えば、ある程度までの隙間であれば、完全に当接（接触）していなくとも、容量結合によって電気的な接続を得ることができる。
【００４６】
［第二の変形例］
続いて、上記実施形態の第二の変形例について説明する。なお、上記実施形態及び上記第一の変形例と同様の構成要素には同一の符号を付し、その説明を省略する。
図１０（ｂ）は、第二の変形例におけるアンテナ５Ａと上側基板７２Ａと後述の下側基板７１Ｂとの電気的な接続を説明するためのブロック図である。
【００４７】
本第二の変形例は、アンテナを上昇させたときだけでなく、降下させたときにも電波を受信できるように構成されている点で、上記実施形態や上記第一の変形例と異なっている。
【００４８】
具体的に、本第二の変形例では、図１０（ｂ）に示すように、上記第一の変形例における下側基板７１Ａに代えて、下側基板７１Ｂが設けられている。
下側基板７１Ｂには、アンテナ５Ａからの電波（信号）を好適に受信するための第二マッチング回路７１３Ｂが実装されている。この第二マッチング回路７１３Ｂでは、当該第二マッチング回路７１３Ｂを構成する各回路素子の定数が、アンテナ５Ａが降下した状態において受信に適した値に設定されている。この第二マッチング回路７１３Ｂが、アンテナ５Ａが降下した状態で、上側基板７２Ａ上の受信機７２５Ａ及びアンテナ基板５３Ａと接続されることにより、アンテナ５Ａが降下したときにも電波を受信できるようになっている。
【００４９】
また、アンテナ５Ａ（アンテナ基板５３Ａ）からの接続を、上側基板７２Ａのマッチング回路７２４Ａ及び下側基板７１Ａの第二マッチング回路７１３Ｂのいずれかに切り替える接点ＳＷ１は、アンテナ基板５３Ａと上側基板７２Ａまたは下側基板７１Ａとの接触部において、直接当接して切り替えられるようになっている。
一方、受信機７２５Ａからの接続を、上側基板７２Ａのマッチング回路７２４Ａ及び下側基板７１Ａの第二マッチング回路７１３Ｂのいずれかに切り替える接点ＳＷ２は、機械式のスイッチでもよいし、電子式のスイッチでもよい。
また、下側基板７１Ｂの上面には、アンテナ５Ａが降下したときにアンテナ基板５３Ａのグランド層５３２Ａ及び給電部５３１Ａと個別に電気的に接続されるグランド層及び給電部が、例えば上側基板７２Ａにおけるものと同様に設けられている（図９参照）。
【００５０】
以上の第二の変形例によれば、アンテナ５Ａを上昇させたときだけでなく、降下させたときにも電波を受信することができる。
これにより、例えばアンテナ５Ａ降下時での通常受信と、上昇時での高感度受信といったように、必要感度等に応じて電波受信状態を使い分けることができる。
【００５１】
［他の変形例］
なお、本発明を適用可能な実施形態は、上述した実施形態及びその変形例に限定されず、本発明の要旨を逸脱しない範囲で種々変形が可能であることは言うまでもない。
【００５２】
例えば、上記実施形態やその変形例では、アンテナ基板と下側基板または上側基板とが互いにグランド層を電気的に接続させることとしたが、例えばWiFi用のものなどにはグランドが無いアンテナも存在する。そのため、このようなアンテナを用いる場合には、グランド層は設けず、必要に応じて給電点だけを設けることとする。
【００５３】
また、上記実施形態やその変形例ではアンテナを昇降させることとしたが、本発明に係る昇降装置は、アンテナ以外のものを昇降させてもよく、電波受信装置や時刻表示装置以外のものにも広く適用可能である。
【００５４】
以上、本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
孔部を有するカバー部材と、
前記孔部の裏面側に設けられた出没部材と、
所定方向に沿って動作可能に構成された可動部材と、
前記出没部材を支持しつつ前記可動部材に連結され、当該出没部材を表裏方向に昇降させるリンク部と、
前記カバー部材の前記孔部を覆う位置に設けられ、前記可動部材に固定される蓋部材と、
を備え、
前記可動部材の前記所定方向のうちの一方向への動作に伴って、前記蓋部材が前記孔部の裏面側から退避して当該孔部が開放された後に前記リンク部が動作して前記出没部材を表面方向に上昇させることを特徴とする昇降装置。
＜請求項２＞
前記可動部材は、環状に形成されるとともに、前記カバー部材の外周周辺に回動可能に支持され、
前記リンク部は、前記表裏方向に移動するピン部材を有し、
前記可動部材の前記所定方向のうちの一方向への動作に伴って、前記蓋部材が前記孔部の裏面側から退避するまで前記ピン部材の前記表裏方向の位置が保持された後に、当該ピン部材が前記表裏方向に移動することを特徴とする請求項１に記載の昇降装置。
＜請求項３＞
前記ピン部材の前記表裏方向に沿った移動を案内するガイド部を備えることを特徴とする請求項２に記載の昇降装置。
＜請求項４＞
請求項１〜３のいずれか一項に記載の昇降装置を備え、
前記出没部材が、電波を受信するアンテナであることを特徴とする電波受信装置。
＜請求項５＞
前記アンテナは、前記表裏方向の表方向に接地電極が形成されたアンテナ基板に搭載され、
請求項４に記載の電波受信装置は、前記アンテナが上昇したときに前記アンテナ基板の前記接地電極と電気的に接続される接地電極を前記表裏方向の裏方向に有する基板を備えることを特徴とする。
＜請求項６＞
前記アンテナ基板は、前記アンテナの放射電極と電気的に接続された給電部を有し、
前記基板は、前記アンテナが上昇したときに前記アンテナ基板の前記給電部と電気的に接続される給電部を有することを特徴とする請求項５に記載の電波受信装置。
＜請求項７＞
前記基板には、当該基板に実装された受信機側のインピーダンスと前記アンテナ側のインピーダンスとの整合を取るための回路素子が搭載され、
前記回路素子は、その定数が、前記アンテナが上昇した状態において前記上昇する前の状態に比べて利得が向上する値に設定されていることを特徴とする請求項５または６に記載の電波受信装置。
＜請求項８＞
前記アンテナが降下したときに当該アンテナと当接する他の基板を備え、
前記他の基板は、前記アンテナが降下したときに前記アンテナ基板の前記接地電極及び前記給電部と個別に電気的に接続される接地電極及び給電部を有することを特徴とする請求項５〜７のいずれか一項に記載の電波受信装置。
＜請求項９＞
前記アンテナの上方を除く周囲が金属製の部材に覆われていることを特徴とする請求項４〜８のいずれか一項に記載の電波受信装置。
＜請求項１０＞
時刻を計時する計時部と、
請求項１〜３のいずれか一項に記載の昇降装置と、
前記昇降装置の前記カバー部材の上方で前記計時部が計時した前記時刻を表示する時刻表示部と、
を備えることを特徴とする時刻表示装置。
＜請求項１１＞
時刻を計時する計時部と、
時刻情報が含まれる電波を受信する請求項４〜９のいずれか一項に記載の電波受信装置と、
前記計時部が計時した前記時刻を、前記電波受信装置が受信した前記電波に含まれる前記時刻情報により修正する時刻修正部と、
前記計時部が計時する時刻、又は、前記時刻修正部が修正した時刻を表示する時刻表示部と、
を備えることを特徴とする時刻表示装置。
【符号の説明】
【００５５】
１          時刻表示装置
２          本体ケース
４          文字板
４３      孔部
５，５Ａ    アンテナ
５２Ａ    アンテナ本体
５３Ａ    アンテナ基板
５３１Ａ  給電部
５３２Ａ  グランド層
６          昇降ユニット
６０      支持部材
６１      回転カムリング
６１２  カム溝
６４      リンク部
６４１ｂ  ガイド溝
６４２  カムピン
６４３  リンクアーム
６５      蓋部材
７１Ａ，７１Ｂ  下側基板
７１１Ａ  グランド層
７１３Ｂ  第二マッチング回路
７２Ａ      上側基板
７２２Ａ  グランド層
７２３Ａ  給電線
７２４Ａ  マッチング回路
７２５Ａ  受信機
Ａｘ        中心軸
【図１】
2017173226.tif 000003
【図２】
2017173226.tif 000004
【図３】
2017173226.tif 000005
【図４】
2017173226.tif 000006
【図５】
2017173226.tif 000007
【図６】
2017173226.tif 000008
【図７】
2017173226.tif 000009
【図８】
2017173226.tif 000010
【図９】
2017173226.tif 000011
【図１０】
2017173226.tif 000012
【図１１】
2017173226.tif 000013